(57)【要約】【課題】顧客がレシートの印刷前に印刷内容を確認し、レシートの要否を判断することのできる電子機器およびプログラムを提供することである。【解決手段】会計情報を入力する入力部と、会計情報に基づきレシートの画像データを生成する画像生成部と、画像生成部により生成される画像データに基づくレシートに含まれる画像と、レシートの印刷の要否を選択する要否選択部とが表示される表示部と、表示部の要否選択部によりレシート発行が選択された場合にレシートを印刷するレシートプリンタと、を備える電子機器。【選択図】図２
2013054632.tif 000002
【特許請求の範囲】
【請求項１】
会計情報を入力する入力部と、
前記会計情報に基づきレシートの画像データを生成する画像生成部と、
前記画像生成部により生成される前記画像データに基づくレシートに含まれる画像と、前記レシートの印刷の要否を選択する要否選択部とが表示される表示部と、
前記表示部の前記要否選択部によりレシート発行が選択された場合にレシートを印刷するレシートプリンタと、
を備える電子機器。
【請求項２】
前記レシートの前記画像データとして、購入品目および請求金額が含まれる請求項１記載の電子機器。
【請求項３】
前記レシートの前記画像データとして、クーポン画像が含まれる請求項１または２記載の電子機器。
【請求項４】
前記レシートの前記画像データとして、割引商品情報画像が含まれる請求項１乃至３の何れかに記載の電子機器。
【請求項５】
前記入力部は、前記レシートの印刷の要否を選択する機能を有する請求項１乃至４の何れかに記載の電子機器。
【請求項６】
コンピュータを、
会計情報を入力する入力手段と、
前記会計情報に基づきレシートの画像データを生成する画像生成手段と、
前記画像生成手段により生成される前記画像データに基づくレシートに含まれる画像と、前記レシートの印刷の要否を選択する要否選択部とを表示させる画像表示手段と、
前記画像表示手段の前記要否選択部によりレシート発行が選択された場合にレシートを印刷させる印刷手段と、
して機能させるためのプログラム。
【発明の詳細な説明】
【技術分野】
【０００１】
本発明の実施形態は、電子機器およびプログラムに関する。
【背景技術】
【０００２】
従来、スーパーマーケットや量販店において、商品販売データの処理を行うため、オペレータ用の画面および客用の画面を備えたＰＯＳ（Ｐｏｉｎｔ  Ｏｆ  Ｓａｌｅｓ）端末等の電子機器が用いられている（特許文献１参照）。ＰＯＳ端末を用いた従来の会計処理では、顧客の購入商品の会計時に毎回レシートが印刷されていた。
【発明の概要】
【発明が解決しようとする課題】
【０００３】
しかし、レシートを必要としない顧客もいるため、店員は会計時に毎回顧客に対してレシートの要否を確認するとともに、不要なレシートを廃棄する必要があり、作業効率が悪かった。
【０００４】
また、不要なレシートが印刷された場合には、紙資源の無駄にもなっていた。
【０００５】
さらに、レシートには購入品目や代金以外に、クーポン等の顧客にとって有益な付加情報も印刷される場合がある。しかし、顧客はレシートの要否の判断に際し、事前にレシートの内容を確認することができないため、付加情報が印刷されていることに気がつかず、レシートを不要と判断し受け取らないことで、不利益を被る場合もあった。
【課題を解決するための手段】
【０００６】
実施形態の電子機器は、会計情報を入力する入力部と、会計情報に基づきレシートの画像データを生成する画像生成部と、画像生成部により生成される画像データに基づくレシートの画像と、レシートの印刷の要否を選択する要否選択部とが表示される表示部と、表示部の要否選択部によりレシート発行が選択された場合にレシートを印刷するレシートプリンタと、を備える。
【０００７】
また、実施形態のプログラムは、コンピュータを、会計情報を入力する入力手段と、会計情報に基づきレシートの画像データを生成する画像生成手段と、画像生成手段により生成される画像データに基づくレシートに含まれる画像と、レシートの印刷の要否を選択する要否選択部とを表示させる画像表示手段と、表示手段の要否選択部によりレシート発行が選択された場合にレシートを印刷させる印刷手段と、して機能させる。
【図面の簡単な説明】
【０００８】
【図１】図１は、ＰＯＳ端末の外観図である。
【図２】図２は、客面表示器に表示される画像を示す図である。
【図３】図３は、ＰＯＳ端末の制御回路を示す図である。
【図４】図４は、ＣＰＵの機能ブロック図である。
【図５】図５は、第１の実施例におけるレシート発行に際して実行される処理の流れを示すフローチャートである。
【図６】図６は、第２の実施例におけるレシート発行に際して実行される処理の流れを示すフローチャートである。
【図７】図７は、レシートの画像として付加情報部分を表示した例を示す図である。
【発明を実施するための形態】
【０００９】
以下に添付図面を参照して、この発明にかかる電子機器、およびプログラムの実施の一形態を詳細に説明する。なお、本実施の形態では、この発明にかかる電子機器、およびプログラムをＰＯＳ（Ｐｏｉｎｔ  ｏｆ  Ｓａｌｅｓ）ターミナルに適用した例について説明するが、パーソナルコンピュータなど、ハードウェアの起動に際してテストを実行する電子機器であれば、この発明を適用することができる。
【００１０】
図１は、ＰＯＳ端末の外観図である。ＰＯＳ端末１は、現金等を収容するためのドロワ２の上に載置されており、このドロワ２の引出し２ａの開閉を制御する。
【００１１】
ＰＯＳ端末１の本体には、正面側にキーボード３、モードスイッチ４、カードリーダ５、およびオペレータ表示器（カラー液晶表示器）６が設けられ、背面側に顧客に面するように客面表示器（カラー液晶表示器）７が設けられている。また、ＰＯＳ端末１の本体には、レシート及びジャーナルをプリントするプリンタ９が設けられている。さらに、ＰＯＳ端末１から商品情報入力手段としてコードスキャナ１０が導出されている。コードスキャナ１０は、商品に付された商品ラベルに印刷された２次元コードやバーコードを読取る機能を有する。
【００１２】
キーボード３は、預かり金額などを置数するための置数キー、１取引として販売登録された商品の合計出力を指示する小計キー、１取引の代金を現金決済することを宣言して当該取引の締めを指示する預／現計キー、置数データのクリアを指示するクリアキー等を備えている。
【００１３】
モードスイッチ４は、「登録」，「点検」，「精算」，「設定」などの各種業務モードを選択するためのスイッチで、専用の鍵で操作される。因みに、「登録」とは、商品情報入力手段により入力された商品情報に基づいて商品の価格を加算してその売上データを記憶部に販売登録処理（商品登録手段）し、商品販売登録の終了が宣言された１取引の代金を精算してレシートを発行（登録締め手段）する業務のモードである。「点検」とは、記憶部に登録処理された各商品の売上データを集計しレポート出力する業務のモードである。「精算」とは、「点検」と同様に記憶部に登録処理された各商品の売上データを集計してレポート出力した後、記憶部の売上データをクリアする業務のモードである。「設定」とは、各種業務を実行する上で必要なデータを予め記憶部に設定するための業務である。
【００１４】
カードリーダ５は、非現金決済に用いるカードが挿入されてスライド操作されることにより、そのカードに記録されているデータを読取る。
【００１５】
オペレータ表示器６は、商品登録手段により販売登録された商品の品名，価格や、商品販売登録の終了が宣言され登録締め手段により１取引の合計金額、預かり金額、釣り銭額などを表示する。
【００１６】
客面表示器７は、タッチパネルとなっていて、図２に示すように、客面表示部７１にカラー写真やカラー動画によるコマーシャル情報、たとえば『いらっしゃいませ』などの顧客案内情報、取引明細（商品名、単価、個数）、取引結果（合計金額，預かり金額、釣り銭額）等を表示する。また、客面表示器７は、印刷予定のレシートに含まれる画像（レシートの一部または全部の画像）７２、および、レシート発行の要否を選択する要否選択ボタン７３を表示する。
【００１７】
プリンタ９は、購入品目やその合計額等を連続紙に印刷してレシートとして発行するとともに、ＰＯＳ端末１の本体内部に設けられている記憶部に記憶されている１日の売上実績等のデータを内部に収納している連続紙に印刷してジャーナルとして発行する。
【００１８】
次に、図３を用いて、ＰＯＳ端末１の制御回路について説明する。図３は、ＰＯＳ端末の制御回路を示す図である。
【００１９】
ＰＯＳ端末１は、主制御部であるＣＰＵ（Ｃｅｎｔｒａｌ  Ｐｒｏｃｅｓｓｉｎｇ  Ｕｎｉｔ）２０に、バスラインを介して、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、時計回路２３、通信インタフェース２４、Ｉ／Ｏ（Ｉｎｐｕｔ／Ｏｕｔｐｕｔ）ポート２６、キーボードコントローラ２７、カードリーダコントローラ２８、表示コントローラ２９，３０、電子ジャーナルコントローラ３１、プリンタコントローラ３２、およびスキャナコントローラ３３が接続されている。
【００２０】
ＣＰＵ２０は、後述する各部の制御を行う部位である。ＣＰＵ２０は、図４に示すように、レシートに印刷される画像データを作成する画像生成部２０１と、客面表示器７に画像を表示させる画像表示部２０２と、を有する。
【００２１】
ＲＯＭ２１（記憶手段）は、ＣＰＵ２０が実行するＢＩＯＳ（Ｂａｓｉｃ  Ｉｎｐｕｔ／Ｏｕｔｐｕｔ  Ｓｙｓｔｅｍ）、ＯＳ（Ｏｐｅｒａｔｉｎｇ  Ｓｙｓｔｅｍ）、当該ＯＳ上で実行されるドライバなどの固定的データを記憶する。
【００２２】
ＲＡＭ２２は、販売登録商品の売上データを登録処理するための記憶部として機能するとともに、商品にたとえば商品コード、価格などの商品情報を対応付けた商品テーブルを記憶し、さらに、カラー写真やカラー動画による複数のコマーシャル情報や、「いらっしゃいませ」などの顧客案内情報、要否選択ボタン７３の画像等を記憶している。商品テーブル、コマーシャル情報、および顧客案内情報については、商品価格の変化に応じて、あるいは季節の変化や新商品販売などに応じて、あるいは扱い商品の種別などに応じて、適宜に変更される。
【００２３】
時計回路２３は、現在の日時を計時する。通信インタフェース２４は、ＬＡＮ（Local  Area  Network）などの通信回線を通じて接続されるホストコンピュータ（不図示）とのデータ通信を制御する。
【００２４】
Ｉ／Ｏ（Input／Output）ポート２６は、上記モードスイッチ４から発せられるモード選択信号の取込み、上記ドロワ２の引出し２ａを自動開放させるためのドロワ開放装置２ｂに対する駆動信号の出力などを行なう。
【００２５】
キーボードコントローラ２７は、キーボード３の操作に応じたキー信号を取込む。カードリーダコントローラ２８は、上記カードリーダ５を制御する。
【００２６】
表示コントローラ２９は、上記オペレータ表示器６を駆動制御する。表示コントローラ３０は、上記客面表示器７を駆動制御する。
【００２７】
電子ジャーナルコントローラ３１は、電子ジャーナル８を駆動制御する。プリンタコントローラ３２は、ＣＰＵ２０の画像生成部２０１の指示に応じて上記プリンタ９を駆動制御し、ＣＰＵ２０から与えられる印字データに基づくレシート印字及びジャーナル印字を行わせる。
【００２８】
スキャナコントローラ３３は、上記コードスキャナ１０で読取られたコード信号を取込む。
【００２９】
次に、ＰＯＳ端末１のＲＯＭ２１に記憶されているＢＩＯＳおよびＯＳ上で実行されるプログラムがＣＰＵ２０に実行させる機能について説明する。
【００３０】
[第１の実施例]
図５は、第１の実施例に係る電子機器としてのＰＯＳ端末１におけるレシート発行の各工程を示すフローチャートである。
【００３１】
まず、ステップＳ１において、店員によりＰＯＳ端末のコードスキャナ１０やキーボード３が操作されることにより顧客の購入商品の販売登録が行われた後、キーボード３の小計キーが押され、販売登録された商品等の会計情報の出力が指示され、ＣＰＵ２０による精算処理が開始される。
【００３２】
次に、ステップＳ２において、ＣＰＵ２０が、会計情報に基づいてレシートに印刷される画像データを生成する。この画像データには、購入商品の一覧やそれぞれの金額、購入商品の合計金額等の会計情報の他、付加情報として、クーポン券や、購入商品の割引情報、セール等の開催予定に関する情報等が含まれ場合もある。生成された画像データはＲＡＭ２２に保存される。
【００３３】
次に、ステップＳ３において、ＲＡＭ２２から客面表示器７にステップＳ２で生成された画像データが送信され、この画像データが画像７２として表示される（図２参照）。このとき、客面表示器７には、レシートの画像７２の他、請求金額や、客がレシート発行の要否を選択するための要否選択ボタン７３等も表示される。
【００３４】
次に、ステップＳ４において、客面表示器７に表示された要否選択ボタン７３によるレシート発行選択が行われたか否かが判断される。レシート発行選択が行われた（ＹＥＳ）場合には、ステップＳ５に進む。
【００３５】
ステップＳ５では、ＲＡＭ２２からプリンタ９にレシート印刷データが送信される。
【００３６】
次に、ステップＳ６において、プリンタ９が送信されたレシート印刷データに基づいてレシートが印刷、発行され、レシート発行が終了する。
【００３７】
一方、ステップＳ４において、レシート発行選択が行われなかった（ＮＯ）場合は、ステップＳ７に進む。
【００３８】
ステップＳ７では、客面表示器７に表示された要否選択ボタン７３によるレシート不要選択が行われたか否かが判断される。レシート不要選択が行われた（ＹＥＳ）場合には、レシートの発行が行われずに一連の動作が終了する。
【００３９】
一方、ステップＳ７においてレシート不要選択が行われなかった（ＮＯ）場合には、ステップＳ８に進む。
【００４０】
ステップＳ８では、レシートイメージが表示されてから所定の時間が経過したか否かの判断が行われる。所定の時間が経過していない（ＮＯ）場合にはステップＳ４に進む。一方、所定の時間が経過している（ＹＥＳ）場合には、ステップＳ５に進み、ステップＳ６を経てレシート発行が行われる。
【００４１】
上述した第１の実施例に係るＰＯＳ端末においては、客面表示器に発行前のレシートの画像が表示される。これにより、顧客はレシートに印刷されている合計金額やクーポン等の付加情報を確認した上でレシートの要否を選択することができ、有用なレシートであることに気付かず破棄してしまうことを効果的に防止することができる。
【００４２】
また、店員が会計時に毎回顧客に対してレシートの要否を確認する必要がなくなるため、作業効率を向上させることができる。
【００４３】
また、顧客がレシート発行を望まない場合にはレシートが発行されないため、紙資源を節約することもできる。
【００４４】
また、レシートの発行の要否について、顧客と店員のいずれからも所定の時間内に選択が行われなかった場合にはレシートが発行されるようにすることで、精算処理を迅速に行うことができる。
【００４５】
[第２の実施例]
図６は、第２の実施例に係る電子機器としてのＰＯＳ端末におけるレシート発行の各工程を示すフローチャートである。本実施例においては、上述した第１の実施例と異なり、顧客による客面表示器の操作の他、店員によるキーボードの操作によってもレシート発行の要否を選択することができる。これにより、顧客が会計時にレシート発行の要否を客面表示器の操作ではなく、店員に口頭で伝えた場合にも対処することができる。
【００４６】
なお、図６に示すステップＳ２１、Ｓ２２、Ｓ２３、Ｓ２４、Ｓ２５、Ｓ２６およびＳ２７は、それぞれ上述した図５に示すステップＳ１、Ｓ２、Ｓ３、Ｓ４、Ｓ５、Ｓ６およびＳ７と同様であるため、ここではその詳細な説明は省略する。
【００４７】
図６に示すステップＳ２４において、客面表示器７に表示された要否選択ボタン７３によるレシート発行選択が行われたか否かが判断される。レシート発行選択が行われた（ＹＥＳ）場合には、ステップＳ２５に進み、ステップＳ２６を経てレシートが印刷される。
【００４８】
一方、ステップＳ２４において、レシート発行選択が行われなかった（ＮＯ）場合には、ステップＳ２７に進む。
【００４９】
次に、ステップＳ２７において、客面表示器７によるレシート発行不要の選択が行われたか否かが判断される。レシート発行不要の選択が行われた（ＹＥＳ）場合には、レシートが発行されることなく一連の動作が終了する。
【００５０】
一方、ステップＳ２７において、レシート発行不要の選択が行われなかった（ＮＯ）場合には、ステップＳ２８に進む。
【００５１】
次に、ステップＳ２８において、キーボード３におけるレシート発行選択が行われたか否かが判断される。なお、本実施例のＰＯＳ端末のキーボードには、レシート発行の要否を選択することのできる要否選択ボタン（不図示）が設けられている。
【００５２】
ステップＳ２８において、キーボードによるレシート発行選択が行われた（ＹＥＳ）場合には、ステップＳ２５に進み、以下のステップを経てレシート発行が行われる。
【００５３】
一方、ステップＳ２８において、キーボードによるレシート発行選択が行われなかった（ＮＯ）場合には、ステップＳ２９に進む。
【００５４】
ステップＳ２９では、レシートイメージが表示されてから所定の時間が経過したか否かの判断が行われる。所定の時間が経過していない（ＮＯ）場合にはステップＳ２４に進む。一方、所定の時間が経過している（ＹＥＳ）場合には、ステップＳ２５に進み、ステップＳ２６を経てレシート発行が行われる。
【００５５】
上述した第２の実施例に係るＰＯＳ端末においても、客面表示器に発行前のレシートの画像が表示される。これにより、顧客はレシートに印刷されている合計金額やクーポン等の付加情報を確認した上でレシートの要否を選択することができ、有用なレシートであることに気付かず破棄してしまうことを効果的に防止することができる。
【００５６】
また、顧客がレシート発行の要否を客面表示器の操作ではなく、店員に口頭で伝えた場合にも対処することができる。
【００５７】
また、店員が会計時に毎回顧客に対してレシートの要否を確認する必要がなくなるため、作業効率を向上させることができる。
【００５８】
また、顧客がレシート発行を望まない場合にはレシートが発行されないため、紙資源を節約することもできる。
【００５９】
また、レシートの発行の要否について、顧客と店員のいずれからも所定の時間内に選択が行われなかった場合にはレシートが発行されるようにすることで、精算処理を迅速に行うことができる。
【００６０】
なお、上述した実施例は、例として提示したものであり、発明の範囲を限定することは意図していない。この新規な実施例は、その他の様々な形態で実施されることが可能であり、発明の要旨を逸脱しない範囲で、種々の省略、置き換え、変更を行うことができる。この実施例やその変形は、発明の範囲や要旨に含まれるとともに、特許請求の範囲に記載された発明とその均等の範囲に含まれる。
【００６１】
例えば、上述した各実施例においては入力部としてキーボードが用いられているが、本発明においてはこれに限らず、オペレータ表示器をタッチパネルとして入力部としてもよい。これによっても上述した各実施例に係るＰＯＳ端末と同様の効果を奏することができる。
【００６２】
また、上述した実施例においては客面表示器にレシート全体の画像が表示されていたが、本発明においてはこれに限らず、図７に示すように、付加情報部分、すなわち、クーポン券（図７（Ａ）参照）や、購入商品の割引情報（図７（Ｂ）参照）、セール等のイベントの開催情報（図７（Ｃ）参照）等のみを表示するようにしてもよい。
【００６３】
また、本実施形態のＰＯＳ端末で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６４】
さらに、本実施形態のＰＯＳ端末で実行されるプログラムを、インターネット等のネットワークに接続されたコンピュータ上に格納し、ネットワーク経由でダウンロードさせることにより提供するように構成してもよい。また、本実施形態のＰＯＳ端末で実行されるプログラムを、インターネット等のネットワーク経由で提供または配布するように構成してもよい。
【００６５】
本実施形態のＰＯＳ端末で実行されるプログラムは、上述した各部（画像生成部および画像表示部）を含むモジュール構成となっており、実際のハードウェアとしてはＣＰＵ（プロセッサ）が上記ＲＯＭからプログラムを読み出して実行することにより上記各部が主記憶装置上にロードされ、画像形成部および画像表示部が主記憶装置上に生成されるようになっている。
【符号の説明】
【００６６】
１  ＰＯＳ端末
２  ドロワ
３  キーボード
４  モードスイッチ
５  カードリーダ
６  オペレータ表示器
７  客面表示器
９  プリンタ
【先行技術文献】
【特許文献】
【００６７】
【特許文献１】特開２０１１−９６１２６号公報
【図１】
2013054632.tif 000003
【図２】
2013054632.tif 000004
【図３】
2013054632.tif 000005
【図４】
2013054632.tif 000006
【図５】
2013054632.tif 000007
【図６】
2013054632.tif 000008
【図７】
2013054632.tif 000009